(57)【要約】      （修正有）【課題】枠体を構成するコーナー部材の形状を簡単な加工で製作できる、例えばオフィス等の室内空間に多目的空間の区画形成が可能な空間構造体を提供する。【解決手段】枠体10で構成され、枠体10は、延設部10aを構成する所要数の連結杆12、12a、12bと、コーナー部10bを構成するコーナー部材とを備え、連結杆12、12a、12bを連結するコーナー部材が、水平断面が略Ｖ字状をなすように連なる２つの鉛直平板部と略水平方向に延在する補強部とを含んでいる。【選択図】図１
2017089245.tif 000002
【特許請求の範囲】
【請求項１】
室内空間の上方側に位置し、天井から垂下させた複数本の吊り金具に連結されて水平に吊下げ固定される、平面視で略多角形状の枠体で構成され、該枠体の配設によって前記室内空間にさらに多目的空間を区画形成することを可能とする空間構造体であって、
前記枠体は、
延設部を構成する所要数の連結杆と、
コーナー部を構成し、隣り合った２本の連結杆の前記端部同士を連結するコーナー部材と
を備え、
該コーナー部材が、
略鉛直方向に延在し、水平断面が略Ｖ字状をなすように連なる２つの鉛直平板部を有し、前記２本の連結杆の端部に、前記２つの鉛直平板部のそれぞれの内面を密着させた状態で着脱自在に取り付けて、前記２本の連結杆同士を連結する連結部と、
該連結部を構成する前記２つの鉛直平板部の外面形状に一致させて、略Ｖ字状の輪郭形状に連なる２つの端縁部をもち、該２つの端縁部を前記２つの鉛直平板部の外面にそれぞれ固着して、略水平方向に延在する水平平板部を少なくとも１つ有する補強部と
を含むことを特徴とする空間構造体。
【請求項２】
前記連結杆の上側部分には、長手方向両端部にわたって連続して延在する凹溝が形成され、
前記２本の連結杆と前記コーナー部材の連結状態にて、前記連結杆の凹溝の底面と、該凹溝を延在方向に延長した位置に存在する、前記コーナー部材の、前記連結部の上端面および前記補強部の上面とが面一である請求項１に記載の空間構造体。
【請求項３】
前記枠体は、４本の前記連結杆と４個の前記コーナー部材とで構成された四角形状の枠体であり、前記コーナー部材は、前記連結部の前記２つの鉛直平板部のなす角度が直角である請求項１または２に記載の空間構造体。
【請求項４】
前記コーナー部材に着脱自在に装着され、該コーナー部材を外側から覆う被覆板部をもつ外装部材をさらに備え、該外装部材は、連結した前記２本の連結杆の端部の外側端縁に前記被覆板部が連設するように前記コーナー部材に装着される請求項１、２または３に記載の空間構造体。
【発明の詳細な説明】
【技術分野】
【０００１】
本発明は、例えばオフィス、展示場、病院、学校等の広い室内空間に、多目的空間を区画形成することができる空間構造体に関し、特に室内空間の上方側に位置し、天井から垂下させた複数本の吊り金具に連結されて水平に吊下げ固定される枠体で構成される、いわゆる天吊りタイプの空間構造体に関する。
【背景技術】
【０００２】
従来の空間構造体としては、例えば特許文献１に記載されているように、建物内の広い空間部に、複数本の支柱や複数本の横桟等で構成される３次元構造体を配置して多目的空間を区画形成することで、談合室、事務室又は商品陳列設備等を区画形成することができる、いわゆる自立タイプの空間構造体が広く知られている。
【０００３】
また近年では、支柱をなくし、天井から枠体を吊り下げ、この枠体に、プロジェクタ、モニター、スピーカ、環境コントロールとしての照明等のＩＣＴ（Information and Communication Technology）機器類や各種配線を取り付けることで、建物内の広い空間部に、前記枠体で構成される２次元構造体を配置して、枠体の下方に位置する空間領域を多目的空間として区画形成することを可能にする、いわゆる天吊りタイプの空間構造体が注目されつつある。
【０００４】
この天吊りタイプの空間構造体は、例えば枠体が矩形の場合、４本の連結杆と４個のコーナー部材とで構成することができる。
【０００５】
しかしながら、コーナー部材は、例えば特許文献１（図８）の空間構造体では、連結杆の端部に挿入してねじ連結されるように構成されていることから、連結杆の断面形状と一致させる必要があり、このため、コーナー部材を複雑な形状に加工しなければならず、この結果、コーナー部材を簡単に製造することができず、加えて、連結杆の形状変更があった場合には、形状変更した連結杆ごとに適合させるため、複雑な断面形状に加工したコーナー部材を、時間をかけて製造しなければならないという問題があった。
【先行技術文献】
【特許文献】
【０００６】
【特許文献１】特開平７−２９２８１１号公報
【発明の概要】
【発明が解決しようとする課題】
【０００７】
本発明の目的は、枠体を構成するコーナー部材を単純な形状とすることにより、簡単な加工で製作でき、しかも、連結杆の形状変更にも柔軟かつ容易に対応できる、例えばオフィス、展示場、病院、学校等の広い室内空間を、業務環境や業務形態等の変化に容易かつ柔軟に対応して仕切ったり区画したりして、所望の多目的空間を形成することができる天吊りタイプの空間構造体を提供することにある。
【課題を解決するための手段】
【０００８】
上記目的を達成するため、本発明の要旨構成は以下の通りである。
（１）室内空間の上方側に位置し、天井から垂下させた複数本の吊り金具に連結されて水平に吊下げ固定される、平面視で略多角形状の枠体で構成され、該枠体の配設によって前記室内空間にさらに多目的空間を区画形成することを可能とする空間構造体であって、前記枠体は、延設部を構成する所要数の連結杆と、コーナー部を構成し、隣り合った２本の連結杆の前記端部同士を連結するコーナー部材とを備え、該コーナー部材が、略鉛直方向に延在し、水平断面が略Ｖ字状をなすように連なる２つの鉛直平板部を有し、前記２本の連結杆の端部に、前記２つの鉛直平板部のそれぞれの内面を密着させた状態で着脱自在に取り付けて、前記２本の連結杆同士を連結する連結部と、該連結部を構成する前記２つの鉛直平板部の外面形状に一致させて、略Ｖ字状の輪郭形状に連なる２つの端縁部をもち、該２つの端縁部を前記２つの鉛直平板部の外面にそれぞれ固着して、略水平方向に延在する水平平板部を少なくとも１つ有する補強部とを含むことを特徴とする空間構造体。
【０００９】
（２）前記連結杆の上側部分には、長手方向両端部にわたって連続して延在する凹溝が形成され、２本の連結杆と前記コーナー部材の連結状態にて、前記連結杆の凹溝の底面と、該凹溝を延在方向に延長した位置に存在する、前記コーナー部材の、前記連結部の上端面および前記補強部の上面とが面一である上記（１）に記載の空間構造体。
【００１０】
（３）前記枠体は、４本の前記連結杆と４個の前記コーナー部材とで構成された四角形状の枠体であり、前記コーナー部材は、前記連結部の前記２つの鉛直平板部のなす角度が直角である上記（１）または（２）に記載の空間構造体。
【００１１】
（４）コーナー部材に着脱自在に装着され、該コーナー部材を外側から覆う被覆板部をもつ外装部材をさらに備え、該外装部材は、連結した前記２本の連結杆の端部の外側端縁に前記被覆板部が連設するように前記コーナー部材に装着される上記（１）、（２）または（３）に記載の空間構造体。
【発明の効果】
【００１２】
本発明によれば、室内空間の上方側に位置し、天井から垂下させた複数本の吊り金具に連結されて水平に吊下げ固定される、平面視で略多角形状の枠体で構成され、該枠体の配設によって前記室内空間にさらに多目的空間を区画形成することを可能とする空間構造体であって、前記枠体は、延設部を構成する所要数の連結杆と、コーナー部を構成し、隣り合った２本の連結杆の前記端部同士を連結するコーナー部材とを備え、該コーナー部材が、略鉛直方向に延在し、水平断面が略Ｖ字状をなすように連なる２つの鉛直平板部を有し、前記２本の連結杆の端部に、前記２つの鉛直平板部のそれぞれの内面を密着させた状態で着脱自在に取り付けて、前記２本の連結杆同士を連結する連結部と、該連結部を構成する前記２つの鉛直平板部の外面形状に一致させて、略Ｖ字状の輪郭形状に連なる２つの端縁部をもち、該２つの端縁部を前記２つの鉛直平板部の外面にそれぞれ固着して、略水平方向に延在する水平平板部を少なくとも１つ有する補強部とを含むことによって、枠体を構成するコーナー部材の形状を簡単な加工で製作でき、しかも、連結杆の形状変更にも容易に対応できる、例えばオフィス、展示場、病院、学校等の広い室内空間を、業務環境や業務形態等の変化に柔軟かつ容易に対応して仕切ったり区画したりして所望の多目的空間を形成することができる天吊りタイプの空間構造体を提供することが可能になった。
【図面の簡単な説明】
【００１３】
【図１】図１は、本発明に従う代表的な空間構造体を室内空間に配設して多目的空間を区画形成したときの使用態様の一例を示す概念図である。
【図２】図２は、図１で示す空間構造体の枠体のコーナー部を構成するコーナー部材と２本の連結杆の端部を拡大して示した斜視図である。
【図３】図３は、図２に示す空間構造体のコーナー部の分解斜視図である。
【発明を実施するための形態】
【００１４】
次に、本発明の実施形態について図面を参照しながら以下で説明する。
図１は、本発明に従う代表的な天吊りタイプの空間構造体を示したものである。図１に示す空間構造体１は、室内空間Ｓの上方側に位置し、天井から垂下させた複数本の吊り金具Ｍに連結されて水平に吊下げ固定される、平面視で略多角形状、図１では矩形状の枠体１０で構成されていて、この枠体１０の配設によって室内空間Ｓ内に、さらに多目的空間Ｓ１を区画形成することが可能である。
【００１５】
ここでいう「略多角形状」には、図１に示す矩形状の他、三角形状や、五角形以上の多角形状も含まれる。また、「多目的空間Ｓ１」は、オフィス、病院、学校等の広い室内空間Ｓの一部に、用途に応じて区画形成された多様な空間を意味し、例えば、枠体１０に、プロジェクタ、モニター、スピーカ、環境コントロールとしての照明等のＩＣＴ機器類や各種配線を取り付けて、室内空間Ｓ内に、異質な雰囲気を醸し出すことができる独自の空間を形成することができる。
【００１６】
枠体１０は、延設部１０ａを構成する所要数の連結杆、図１では４本の連結杆１２と、コーナー部１０ｂを構成し、隣り合った２本の連結杆１２ａ、１２ｂの端部同士１４ａ、１４ｂを連結するコーナー部材、図１では４個のコーナー部材１６とを備えている。連結杆１２の材質は、特に限定はしないが、ＩＣＴ機器等を取り付けることなどを考慮して、金属材料、例えば軽量かつ比較的高強度で美観性にも優れるアルミニウム合金材が挙げられる。枠体１０を天井から吊り下げる方法としては、天井に一端が取り付けられた吊り金具Ｍの他端を、枠体１０のいずれかの部分に設けられた吊り金具取付部分（図示せず）に取り付ければよく、特に限定はしない。
【００１７】
コーナー部材１６は、連結部１８と補強部２０とで主に構成されている。
【００１８】
連結部１８は、略鉛直方向に延在し、水平断面が略Ｖ字状をなすように連なる２つの鉛直平板部２２ａ、２２ｂを有し、２本の連結杆１２ａ、１２ｂの端部１４ａ、１４ｂに、２つの鉛直平板部２２ａ、２２ｂのそれぞれの内面を密着させた状態で着脱自在に取り付けて、２本の連結杆１２ａ、１２ｂ同士を連結するために設けられている。連結杆１２への連結部１８の取付方法は、連結杆１２の端部１４に連結部１８の内面を密着させた状態で取り付けることができる構成であればよく、特に限定はしないが、例えば図３に示すように、連結杆１２の端部１４にねじ穴、図３では２個のねじ穴２８を設けるとともに、連結部を構成する２つの鉛直平板部２２ａ、２２ｂの、ねじ穴２８に対応する位置に、各２個の貫通孔３０を設けておき、連結杆１２の端部１４に連結部１８の内面を密着させた状態で、ねじ穴２８に貫通孔３０を通じて挿入したねじ３２で連結する方法が挙げられる。連結部１８の材質は、２つの連結杆１２ａ、１２ｂの端部１４ａ、１４ｂ同士を強固に連結する材料であればよく、特に限定はしないが、例えば鉄板やステンレス鋼板などが挙げられる。加えて、連結部１８の板厚は、特に限定はしないが、本実施形態では、連結部１８の板厚を１．６ｍｍとした場合を示す。
【００１９】
補強部２０は、連結部１８を補強するためのコーナー部材１６の部分であって、連結部１８を構成する２つの鉛直平板部２２ａ、２２ｂの外面形状に一致させて、略Ｖ字状の輪郭形状に連なる２つの端縁部２０ａ、２０ｂをもち、これら２つの端縁部２２ａ、２２ｂを、２つの鉛直平板部２２ａ、２２ｂの外面にそれぞれ固着して、略水平方向に延在する水平平板部２４を少なくとも１つ、図１では２つの水平平板部２４、２４を有している。補強部２０を２つの鉛直平板部２２ａ、２２ｂの外面に固着する方法としては、特に限定はしないが、例えば、２つの鉛直平板部２２ａ、２２ｂの外面に、補強部２０の２つの端縁部２０ａ、２０ｂを溶接等によって接合する方法が挙げられる。補強部２０の材質は、連結部１８を補強できる材料であればよく、特に限定はしないが、連結部１８と同様な材料、例えば鉄板やステンレス鋼板などが挙げられる。加えて、補強部２０（水平平板部２４）の板厚は、特に限定はしない。例えば本実施形態では、補強部２０の板厚を２．３ｍｍとして、連結部１８の板厚よりも厚くした場合を示している。
【００２０】
また、枠体１０は、例えば４本の連結杆１２と４個のコーナー部材１６とで四角形状の枠体として構成する場合、コーナー部材１６は、連結部１８の２つの鉛直平板部２２ａ、２２ｂのなす角度が略直角（約９０°）に形成すればよく、枠体１０が正三角形状の場合には、コーナー部材１６は、連結部１８の２つの鉛直平板部２２ａ、２２ｂのなす角度を鈍角（約１２０°）に形成すればよく、さらに、枠体１０が五角形状以上の多角形状の場合には、コーナー部材１６は、連結部１８の２つの鉛直平板部２２ａ、２２ｂのなす角度を鋭角に形成すればよく、連結部１８を構成する金属板を、枠体の形状に対応させて、２つの鉛直平板部２２ａ、２２ｂの境界線に沿って上述した角度に折り曲げることによって連結部１８を容易に製造することができる。
【００２１】
また、他の実施形態としては、図２に示すように、連結杆１２の上側部分には、長手方向両端部１４ａ，１４ｂにわたって連続して延在する凹溝２６が形成され、２本の連結杆１２ａ、１２ｂとコーナー部材１６の連結状態にて、連結杆１２ａ、１２ｂの凹溝２６の底面２６ａと、この凹溝２６を延在方向に延長した位置に存在する、コーナー部材１６の連結部１８の上端面１８ａおよび補強部２０の上面とが面一であることが、美観を損なうことなく、ケーブル等の各種配線の取り回しが容易になる点で好ましい。なお、枠体１０に形成した凹溝２６は、比較的大きい空間容積を確保することができるため、かなり多くの本数のケーブル等の配線を、外部に露出させることなく、枠体１０内に収容することができる点で有利である。
【００２２】
さらに、他の実施形態としては、図２および図３に示すように、コーナー部材１６に着脱自在に装着され、コーナー部材１６を外側から覆う被覆板部３４をもつ外装部材３６をさらに備え、この外装部材３６は、連結した２本の連結杆１２ａ、１２ａの端部１４ａ、１４ｂの外側端縁１４ａ１、１４ｂ１に被覆板部３４が連設するようにコーナー部材１６に装着されることが、空間構造体１としての枠体１０の全体の美観を向上させる点でより好ましい。なお、図２および図３では、外装部材３６の被覆板部３４の両側端部を、コーナー部材１６に向かって内向きに折り曲げて、被覆板部３４の外面を、連結した２本の連結杆１２ａ、１２ｂの端部１４ａ、１４ｂの外側端縁１４ａ１、１４ｂ１と面一に連設するように形成した場合を一例として示している。
【００２３】
また、図３に示す外装部材３６を構成する被覆板部３４は、コーナー部材１６の正方形状の水平平板部２４の外側に位置する２辺に接するように、互いに９０°の角度をなす形状で連なる２つの平板部３８ａ、３８ｂで構成した場合を示しているが、被覆部３４は、曲面状等の他の形状で構成してもよい。
【００２４】
加えて、図３では、被覆部３４の内面に、外装部材３６をコーナー部材１６に位置決め装着するための水平平板部３９を溶接等の接合によってさらに形成し、この水平平板部３９と、コーナー部材１６を構成する水平平板部２４に、それぞれねじ取付孔４０、４２を形成し、外装部材３６をコーナー部材１６に取り付ける場合には、これらのねじ取付孔４０、４２を一致させた配置状態でねじ４４やナット等の締結具を用いて連結する構成を示しているが、かかる構成だけには限定されない。
【００２５】
外装部材３６の材質は、特に限定はしないが、連結杆１２やコーナー部材１６と同様な材料、例えばアルミニウム合金板、鉄板、ステンレス鋼板などが挙げられる。加えて、外装部材３６（被覆板部３４および水平平板部３８）の板厚は、特に限定はしないが、本実施形態では、外装部材３６の板厚を１．０ｍｍとした場合を示す。
【００２６】
上述したところは、この発明の実施形態の一例を示したにすぎず、特許請求の範囲において種々の変更を加えることができる。例えば、図２では、連結杆１２の凹溝２６の底面に、開口が狭くなった凹細溝４６をさらに形成し、この凹細溝４６に、吊り金具Ｍを連結するための連結具（図示せず）を取り付けることができる。また、連結杆１２は、例えば図３では、押出成形によって中空部分を有するアルミニウム形材として形成した場合を示しているが、連結杆１２の端部１４の面積を広く確保でき、コーナー部材１６の連結部１８の内面を密着させた状態で連結できる形状を有していればよく、種々の形状を採用することができる。さらに、図２に示すコーナー部材１６では、連結部１８の鉛直平板部２２の幅寸法が、連結杆１２の幅寸法よりも広い場合の構成を示しており、この場合、連結した２本の連結杆１２ａ、１２ｂの凹溝２６を形成する内側壁部分同士の間に隙間が生じるが、この隙間は、コーナー部材１６の連結部１８の上端面からさらに鉛直方向に延びる鉛直被覆板部４８を設ければ塞ぐことができ、この構成を採用すれば、美観性をより一層向上させることができる。
【産業上の利用可能性】
【００２７】
本発明によれば、枠体を構成するコーナー部材の形状を簡単な加工で製作でき、しかも、連結杆の形状変更にも容易に対応できる、例えばオフィス、病院、学校等の広い室内空間を、業務環境や業務形態等の変化に容易かつ柔軟に対応して仕切ったり区画したりして、所望の多目的空間を形成することができる天吊りタイプの空間構造体を提供することが可能になった。
【符号の説明】
【００２８】
１  空間構造体
１０  枠体
１０ａ  延設部
１０ｂ  コーナー部
１２、１２ａ、１２ｂ  連結杆
１４ａ、１４ｂ  連結杆の端部
１６  コーナー部材
１８  連結部
２０  補強部
２０ａ、２０ｂ  補強部の端縁部
２２ａ、２２ｂ  連結部の鉛直平板部
２４  水平平板部
２６  凹溝
２８  ねじ穴
３０  貫通孔
３２  ねじ
３４  被覆板部
３６  外装部材
３８ａ、３８ｂ  平板部
３９  水平平板部
４０、４２  ねじ取付孔
４４  ねじ
４６  凹細溝
４８  連結部の被覆板部
Ｍ  吊り金具
Ｓ  室内空間
Ｓ１  多目的空間
【図１】
2017089245.tif 000003
【図２】
2017089245.tif 000004
【図３】
2017089245.tif 000005